(57)【要約】【課題】画像記録装置が電子部品の温度上昇特性に応じた性能を発揮することを可能にする。【解決手段】複合機の製造方法は、複合機の電源を投入する前のＡＳＩＣ近傍の温度と、電源を投入してから所定時間経過したときのＡＳＩＣ近傍の温度とを測定することで温度変化を測定する測定工程Ｇ２と、測定工程Ｇ２で測定した温度変化に基づいて、ランクＡ〜ランクＣのいずれに対応するかを判定するランク分け工程Ｇ３と、ランク分け工程Ｇ３において分類されたランクに対応した、連続駆動可能な時間情報を、記憶部に記憶させる記憶工程Ｇ４とを含む。【選択図】図５
2018167520.tif 000002
【特許請求の範囲】
【請求項１】
シートに画像を記録する画像記録装置における所定処理動作を行う処理部と、前記処理部を制御するための電子部品と、記憶部とを有する前記画像記録装置の製造方法において、
前記処理部が所定条件で前記所定処理動作を行ったときの前記電子部品又はその周辺における温度変化を測定する測定工程と、
前記測定工程で測定した温度変化に基づいて、前記測定工程で温度変化が測定された前記画像記録装置が、前記処理部が前記所定処理動作を行ったときの前記電子部品又はその周辺における温度上昇度に応じた複数のランクのいずれに分類されるかを判定するランク分け工程と、
前記ランク分け工程において分類されたランクに対応する、前記処理部を連続駆動可能な時間情報を前記記憶部に記憶させる記憶工程と、を備えたことを特徴とする画像記録装置の製造方法。
【請求項２】
前記所定条件とは、前記画像記録装置の電源を投入してから所定時間の連続した処理を行うことであることを特徴とする請求項１に記載の画像記録装置の製造方法。
【請求項３】
前記処理部は、前記所定処理動作としてシートに画像を記録する画像記録動作を行うプリンタ部であり、
前記所定条件とは、前記画像記録動作を所定枚数分のシートに連続して行うことであることを特徴とする請求項１に記載の画像記録装置の製造方法。
【請求項４】
前記処理部は、前記所定処理動作としてシートに画像を記録する画像記録動作を行うプリンタ部であり、
前記プリント部は、シートに液体を吐出するための一又は複数の吐出口が形成された記録ヘッドを有しており、
前記所定条件とは、前記一又は複数の吐出口からの液体の吐出回数が所定期間内に所定数になることであることを特徴とする請求項１に記載の画像記録装置の製造方法。
【請求項５】
前記処理部は、原稿に記録された画像を読み取るスキャナ部、及び、前記スキャナ部へ原稿を給送する給送装置を含み、
前記所定条件とは、前記給送装置が給送した原稿を前記スキャナ部で読み取るスキャン処理を所定枚数分の原稿について連続して行うことであることを特徴とする請求項１に記載の画像記録装置の製造方法。
【請求項６】
前記処理部は、原稿に記録された画像を読み取るスキャナ部、前記スキャナ部へ原稿を給送する給送装置、及び、通信回線を通じて外部装置との間でＦＡＸ通信を行うＦＡＸ通信部を含み、
前記所定条件とは、前記給送装置が給送した原稿を前記スキャナ部が読み取って得られた画像を前記ＦＡＸ通信部がＦＡＸ通信するＦＡＸ通信処理を所定枚数分の原稿について連続して行うことであることを特徴とする請求項１に記載の画像記録装置の製造方法。
【請求項７】
前記処理部は、シートに画像を記録する画像記録動作を行うプリンタ部、原稿に記録された画像を読み取るスキャナ部、及び、前記スキャナ部へ原稿を給送する給送装置を含み、
前記所定条件とは、前記給送装置が給送した原稿を前記スキャナ部が読み取って得られた画像を前記プリンタ部がシートに記録する複写処理を所定枚数分の原稿について連続して行うことであることを特徴とする請求項１に記載の画像記録装置の製造方法。
【発明の詳細な説明】
【技術分野】
【０００１】
本発明は、シートに画像を記録する画像記録装置の製造方法に関する。
【背景技術】
【０００２】
特許文献１には、外気温度を計測する温度センサを有する画像形成装置について記載されている。この画像形成装置は、温度センサによって検出された外気温度が所定温度以上の場合、モータを一定時間停止させる、すなわち、印刷を一時的に停止させる。これにより、電源基板の負荷を小さくし、電源基板を自然冷却することが可能となる。
【先行技術文献】
【特許文献】
【０００３】
【特許文献１】特開２００８−０８３５７８号公報
【発明の概要】
【発明が解決しようとする課題】
【０００４】
このような画像形成装置に実装される電源基板（基板に実装される電子部品）は、画像形成装置ごとに異なる温度上昇特性を有していることがある。つまり、同じ機種の複数の画像形成装置で、同じ印刷ジョブに基づいて印刷を実行した場合、電源基板の温度上昇が画像形成装置ごとに異なることがある。つまり、電源基板によっては、温度上昇し易いものとし難いものがある。
【０００５】
上記特許文献１に記載の技術においては、温度センサによって検出された外気温度が所定温度以上の場合にモータを一定時間停止させるため、電源基板の温度上昇特性が考慮されていない。このような技術における所定温度の設定は、安全側をみて、電源基板の温度上昇し易いものを基準にして、設定される。つまり、複数の画像形成装置のうち、１つの画像形成装置の電源基板が温度上昇し難いものであっても、他の画像形成装置の温度上昇し易い電源基板を基準として、所定温度が設定される。実際には、所定温度をもっと高く設定することが可能であり、一時停止が実行されにくくすることが可能な画像形成装置であっても、所定温度が低く設定され、一時停止が実行されやすい画像形成装置となる。つまり、画像形成装置が電源基板の温度上昇特性に応じた性能を発揮することができないという問題がある。
【０００６】
そこで、本発明の目的は、画像記録装置が電子部品の温度上昇特性に応じた性能を発揮することが可能な画像記録装置の製造方法を提供することである。
【課題を解決するための手段】
【０００７】
本発明の画像記録装置の製造方法は、シートに画像を記録する画像記録装置における所定処理動作を行う処理部と、前記処理部を制御するための電子部品と、記憶部とを有する前記画像記録装置の製造方法において、前記処理部が所定条件で前記所定処理動作を行ったときの前記電子部品又はその周辺における温度変化を測定する測定工程と、前記測定工程で測定した温度変化に基づいて、前記測定工程で温度変化が測定された前記画像記録装置が、前記処理部が前記所定処理動作を行ったときの前記電子部品又はその周辺における温度上昇度に応じた複数のランクのいずれに分類されるかを判定するランク分け工程と、前記ランク分け工程において分類されたランクに対応する、前記処理部を連続駆動可能な時間情報を前記記憶部に記憶させる記憶工程と、を備えている。
【０００８】
これによると、画像記録装置の個体差を反映したランクに応じた時間情報を画像記録装置の記憶部に記憶させているため、画像記録装置が電子部品の温度上昇特性に応じた性能を発揮することが可能となる。また、画像記録装置が所定処理動作（例えば、画像記録動作）に関するジョブを受信したときに、記憶する時間情報から、当該ジョブによる所定処理動作が処理部の連続駆動可能な時間内で終了するか否かが分かる。このため、当該ジョブによる所定処理動作が連続駆動可能な時間内で終了する場合は、ジョブ時間が比較的短く、連続駆動可能な時間内で終了しない場合、つまり、一時停止などが生じる場合は、ジョブ時間が長くなるなどのジョブ時間を予測することが可能となる。この結果、受信したジョブが終了するまでのジョブ時間を予測し、ユーザに報知することが可能な画像記録装置を製造することが可能となる。また、温度センサなしに効果的に所定処理動作を行うことが可能な画像記録装置を製造することが可能となる。この結果、製造コストを低下させることができる。
【０００９】
本発明において、前記所定条件とは、前記画像記録装置の電源を投入してから所定時間の連続した処理を行うことであることが好ましい。これにより、連続通電時間での電子部品の温度上昇度によって画像記録装置をランク分けすることが可能となる。
【００１０】
また、本発明において、前記処理部は、前記所定処理動作としてシートに画像を記録する画像記録動作を行うプリンタ部であり、前記所定条件とは、前記画像記録動作を所定枚数分のシートに連続して行うことであることが好ましい。これにより、所定枚数分のシートに連続して画像記録動作を行った場合での電子部品の温度上昇度によって画像記録装置をランク分けすることが可能となる。
【００１１】
また、本発明において、前記処理部は、前記所定処理動作としてシートに画像を記録する画像記録動作を行うプリンタ部であり、前記プリント部は、シートに液体を吐出するための一又は複数の吐出口が形成された記録ヘッドを有しており、前記所定条件とは、前記一又は複数の吐出口からの液体の吐出回数が所定期間内に所定数になることであることが好ましい。これにより、一又は複数の吐出口からの液体の吐出回数が所定期間内に所定数となった場合での電子部品の温度上昇度によって画像記録装置をランク分けすることが可能となる。
【００１２】
また、本発明において、前記処理部は、原稿に記録された画像を読み取るスキャナ部、及び、前記スキャナ部へ原稿を給送する給送装置を含み、前記所定条件とは、前記給送装置が給送した原稿を前記スキャナ部で読み取るスキャン処理を所定枚数分の原稿について連続して行うことであることが好ましい。これにより、スキャナ部で所定枚数分の原稿を読み取った場合での電子部品の温度上昇度によって画像記録装置をランク分けすることが可能となる。
【００１３】
また、本発明において、前記処理部は、原稿に記録された画像を読み取るスキャナ部、前記スキャナ部へ原稿を給送する給送装置、及び、通信回線を通じて外部装置との間でＦＡＸ通信を行うＦＡＸ通信部を含み、前記所定条件とは、前記給送装置が給送した原稿を前記スキャナ部が読み取って得られた画像を前記ＦＡＸ通信部がＦＡＸ通信するＦＡＸ通信処理を所定枚数分の原稿について連続して行うことであることが好ましい。これにより、所定枚数分の原稿をＦＡＸ通信した場合での電子部品の温度上昇度によって画像記録装置をランク分けすることが可能となる。
【００１４】
また、本発明において、前記処理部は、シートに画像を記録する画像記録動作を行うプリンタ部、原稿に記録された画像を読み取るスキャナ部、及び、前記スキャナ部へ原稿を給送する給送装置を含み、前記所定条件とは、前記給送装置が給送した原稿を前記スキャナ部が読み取って得られた画像を前記プリンタ部がシートに記録する複写処理を所定枚数分の原稿について連続して行うことであることが好ましい。これにより、シートに画像を記録する複写処理を所定枚数分の原稿について行った場合での電子部品の温度上昇度によって画像記録装置をランク分けすることが可能となる。
【発明の効果】
【００１５】
本発明の画像記録装置の製造方法によると、画像記録装置の個体差を反映したランクに応じた時間情報を画像記録装置の記憶部に記憶させているため、画像記録装置が電子部品の温度上昇特性に応じた性能を発揮することが可能となる。また、画像記録装置が所定処理動作（例えば、画像記録動作）に関するジョブを受信したときに、記憶する時間情報から、当該ジョブによる所定処理動作が処理部の連続駆動可能な時間内で終了するか否かが分かる。このため、当該ジョブによる所定処理動作が連続駆動可能な時間内で終了する場合は、ジョブ時間が比較的短く、連続駆動可能な時間内で終了しない場合、つまり、一時停止などが生じる場合は、ジョブ時間が長くなるなどのジョブ時間を予測することが可能となる。この結果、受信したジョブが終了するまでのジョブ時間を予測し、ユーザに報知することが可能な画像記録装置を製造することが可能となる。また、温度センサなしに効果的に所定処理動作を行うことが可能な画像記録装置を製造することが可能となる。この結果、製造コストを低下させることができる。
【図面の簡単な説明】
【００１６】
【図１】本発明の第１実施形態に係る複合機の製造方法によって製造された複合機の概略構成図である。
【図２】図１に示す複合機の制御ブロック図である。
【図３】図１に示す複合機での画像記録処理を実行する際の動作フロー図である。
【図４】図１に示す複合機での画像記録処理を除く他の処理を実行する際の動作フロー図である。
【図５】複合機の製造工程を示すフロー図である。
【発明を実施するための形態】
【００１７】
以下、本発明の一実施形態に係る製造方法で製造された複合機１の全体構成について説明する。なお、以下の説明では、図１の紙面において、左側を「前方」、右側を「後方」、手前側を「右方」、奥側を「左方」、上側を「上方」、下側を「下方」という。
【００１８】
複合機１は、図１に示すように、プリンタ部１０と、スキャナユニット４０と、給送装置５０と、ＦＡＸ通信部６０（図２参照）と、操作部７０とを含む。
【００１９】
プリンタ部１０は、筐体１１、収容トレイ１２、搬送機構１３、画像記録部１４、受容トレイ１５、制御装置１６及びメンテナンスユニット２０（図２参照）を有する。収容トレイ１２は、筐体１１の下部に設けられており、搬送機構１３によって搬送される複数枚の用紙を収容可能である。受容トレイ１５は、筐体１１の上部に設けられており、搬送機構１３によって搬送された複数枚の用紙を受容可能である。筐体１１の上部には、操作部７０が設けられている。操作部７０は、受容トレイ１５よりも前方に配置されており、ユーザの操作により、スキャン指令、ＦＡＸ通信指令及び複写指令などを選択的に制御装置１６に出力することが可能に構成されている。
【００２０】
筐体１１は、略直方体形状であり、収容トレイ１２、搬送機構１３、画像記録部１４、制御装置１６及びメンテナンスユニット２０を内部に収容している。受容トレイ１５は、筐体１１の上面により構成されている。筐体１１の上部には、搬送機構１３によって搬送された用紙を受容トレイ１５に排出するための排出口１１が形成されている。受容トレイ１５は、排出口１１から排出された用紙を受容する。
【００２１】
搬送機構１３は、筐体１１の内部に形成された経路Ｒに沿って用紙を搬送するように構成されており、複数の搬送ローラ１３ａ、ガイド１３ｂ、環状の搬送ベルト１３ｃ及び複数の搬送ローラ１３ａを駆動する搬送モータ１３ｄ（図２参照）を有する。経路Ｒは、収容トレイ１２から受容トレイ１５に至る。
【００２２】
画像記録部１４は、インクジェットヘッド１４ｉ及びインクタンク１４ｔを含む。インクジェットヘッド１４ｉは、インクタンク１４ｔと連通している。インクジェットヘッド１４ｉの内部には、インクタンク１４ｔから供給されたインクを貯留するリザーバと、リザーバから複数の吐出口に向けて分岐したインク流路とが形成されている。複数の吐出口は、インクジェットヘッド１４ｉの下面１４ｉｘに開口している。インクジェットヘッド１４ｉの下面１４ｉｘと搬送ベルト１３ｃの上面との間には、所定の間隙が形成されている。
【００２３】
搬送ベルト１３ｃに支持されつつ搬送される用紙に対して、インクジェットヘッド１４ｉの複数の吐出口から選択的にインクが吐出させ、用紙上にインクを着弾させる。このようにして、画像記録部１４によって用紙上に画像が記録される。
【００２４】
メンテナンスユニット２０は、図２に示すように、キャップユニット２１と、昇降機構２２と、吸引ポンプ２３とを有する。キャップユニット２１は、インクジェットヘッド１４ｉの下面１４ｉｘ全体を覆うことが可能なキャップ（不図示）と、当該キャップを下面１４ｉｘと対向するキャップ位置と対向しない退避位置との間を水平移動させるキャップ移動機構（不図示）とを有している。昇降機構２２は、画像記録位置（図１に示す位置）と、画像記録位置よりも上方の退避位置との間においてインクジェットヘッド１４ｉを昇降させる。吸引ポンプ２３は、配管を介してキャップと連通しており、キャップで下面１４ｉｘを覆った状態において駆動されることで、キャップと下面１４ｉｘとで囲まれた空間を負圧にし、インクジェットヘッド１４ｉの吐出口からインクを吸引する。
【００２５】
スキャナユニット４０は、原稿に記録された画像を読み取るための画像読み取り部（不図示）を有している。スキャナユニット４０は、筐体１１の上面に配置された支持体４１によって支持されている。また、スキャナユニット４０は、軸４０ａを中心として開閉可能なカバー４０ｂを有する。
【００２６】
カバー４０ｂには、給送装置５０が設けられている。給送装置５０は、カバー４０ｂの上面に構成された支持面４０ｂ１に載置された用紙をスキャナユニット４０の画像読み取り部へ給送するものである。
【００２７】
ＦＡＸ通信部６０は、スキャナユニット４０で読み取った画像データを、入出力Ｉ／Ｆ（Interface）１９ａから通信回線を通じて外部装置１８ａ（図２参照）との間でＦＡＸ通信を行うものである。
【００２８】
制御装置１６は、プリンタ部１０のみならず複合機１全体を制御するものであり、図２に示すように、ＣＰＵ（Central Processing Unit）１６ａ、ＲＯＭ（Read Only Memory）１６ｂ、ＲＡＭ（Random Access Memory）１６ｃ、メモリなどによる記憶部１６ｄ、ＡＳＩＣ（Application Specific Integrated Circuit）１７等を含み、例えば、複合機１に接続されたＰＣ（Personal Computer）などの外部装置１８ｂや操作部７０からの指令に基づいて複合機１の各部の制御を行う。
【００２９】
ＲＯＭ１６ｂには、ＣＰＵ１６ａが実行するプログラム、各種固定データ等が記憶されている。ＲＡＭ１６ｃには、プログラム実行時に必要なデータ（画像データ等）が一時的に記憶される。記憶部１６ｄには、後述のランクＡ〜Ｃのいずれかであって各処理動作に対応する連続駆動可能な時間情報が記憶されている。なお、本実施形態においては、後述のランクＡの連続駆動可能な時間情報を記憶しているが、ランクＢ、ランクＣのいずれかに対応する連続駆動可能な時間情報を記憶していてもよい。これら処理動作には、画像記録処理、スキャン処理、ＦＡＸ通信処理、複写処理などが含まれる。画像記録処理は、入出力Ｉ／Ｆ（Interface）１９ｂを介して、外部装置１８ｂから受信した記録指令（処理指令）に基づいて、１以上の用紙を搬送し当該搬送された用紙に画像を記録するための処理である。スキャン処理は、操作部７０から出力されたスキャン指令（処理指令）に基づいて、給送装置５０で送られる原稿に記録された画像をスキャナユニット４０で読み取る処理である。ＦＡＸ通信処理は、操作部７０から出力されたＦＡＸ通信指令（処理指令）に基づいて、給送装置５０で送られる原稿に記録された画像をスキャナユニット４０で読み取り、通信回線を通じてその読み取った画像データを外部装置１８ａとの間でＦＡＸ通信を行う処理である。複写処理は、操作部７０から出力された複写指令（処理指令）に基づいて、給送装置５０で送られる原稿に記録された画像をスキャナユニット４０で読み取り、プリンタ部１０でその読み取った画像データに基づいて用紙に画像を記録する処理である。
【００３０】
また、記憶部１６ｄには、後述のランクＡ〜Ｃのいずれかであって、所定期間内において複数の吐出口から吐出可能なインクの合計吐出回数と、所定期間内において第１吸引パージ及び第２吸引パージの実行可能な回数とを記憶している。なお、本実施形態においては、上述したようにランクＡに対応するものを記憶しているが、ランクＢ、ランクＣのいずれかに対応するものであってもよい。また、第１吸引パージは、第２吸引パージを行うときよりも吸引ポンプ２３の駆動時間が長く、多くのインクを吐出口から排出させる動作である。
【００３１】
ＡＳＩＣ１７は、ヘッド制御回路１７ａ、搬送制御回路１７ｂ、メンテナンス制御回路１７ｃ、スキャナ制御回路１７ｄ、ＦＡＸ通信制御回路１７ｅ、複写制御回路１７ｆ、予測回路１７ｇ及び計時回路１７ｈを含む。また、ＡＳＩＣ１７は、入出力Ｉ／Ｆ（Interface）１９ａ，１９ｂを介して、外部装置１８ａ，１８ｂなどとデータ通信可能に接続されている。
【００３２】
ヘッド制御回路１７ａは、受信した記録指令（画像データ）に基づいて、インクジェットヘッド１４ｉを制御する。搬送制御回路１７ｂは、受信した記録指令に基づいて、搬送モータ１３ｄを制御する。メンテナンス制御回路１７ｃは、所定期間経過毎に又は外部装置１８ｂからのメンテナンス指令に基づいて、キャップユニット２１、昇降機構２２及び吸引ポンプ２３を制御する。スキャナ制御回路１７ｄは、スキャン指令に基づいて、給送装置５０及びスキャナユニット４０を制御する。ＦＡＸ通信制御回路１７ｅは、ＦＡＸ通信指令に基づいて、給送装置５０、スキャナユニット４０及びＦＡＸ通信部６０を制御する。複写制御回路１７ｆは、複写指令に基づいて、給送装置５０、搬送モータ１３ｄ、インクジェットヘッド１４ｉを制御する。
【００３３】
予測回路１７ｇは、受信した記録指令に基づいた枚数の記録を中断することなく連続して行う画像記録処理に要する時間（初期画像記録時間）を導出し、その導出した初期画像記録時間が記憶部１６ｄに記憶された画像記録処理に関する連続駆動可能時間を超えるか否かを判定する。そして、導出した初期画像記録時間が記憶部１６ｄの連続駆動可能時間を超える場合に、画像記録の停止時間を含んだ当該画像記録処理に要する時間（補正画像記録時間）を予測し、当該補正画像記録時間をユーザに報知するための信号を外部装置１８ｂに出力する。計時回路１７ｈは、各処理動作が開始されてからの経過時間ｔ１を計時する。また、計時回路１７ｈは、各処理動作において停止される経過時間ｔ２も計時する。
【００３４】
続いて、記録指令を受信したときの複合機１における画像記録処理について、図３を参照しつつ以下に説明する。
【００３５】
まず、ステップＳ１において、外部装置１８ｂなどから記録指令を受信したか否かを判定し、記録指令を受信した場合（Ｙｅｓ）、ステップＳ２に進み、記録指令を受信しない場合（ＮＯ）、そのままステップＳ１を繰り返す。
【００３６】
次に、ステップＳ２においては、制御装置１６が、画像記録が中断しないと仮定したときに、受信した記録指令での連続した画像記録処理に要する初期画像記録時間を導出して、当該初期画像記録時間が記憶部１６ｄに記憶された画像記録処理に関する連続駆動可能時間（例えば、７０分）を超えるか否かを判定する。導出した初期画像記録時間が記憶部１６ｄの連続駆動可能時間を超える場合（ＹＥＳ）、ステップＳ３に進む。
【００３７】
ステップＳ３においては、制御装置１６が、導出した初期画像記録時間と停止時間（後述する）とを足し合わせることによって、停止時間を考慮した連続した当該画像記録処理に要する補正画像記録時間を予測して、当該補正画像記録時間をユーザに示すための信号を入出力Ｉ／Ｆ１９ｂを介して外部装置１８ｂに出力する。こうして、ユーザに補正画像記録時間を報知することが可能となる。
【００３８】
なお、本実施形態においては、補正画像記録時間をユーザに報知しているが、補正画像記録時間に応じて、例えば、「印刷がもうすぐ終了します」、「印刷の終了まで時間が長くなります」などのメッセージを、補正画像記録時間に加えて又は補正画像記録時間に代えてユーザに報知してもよい。この後、ステップＳ４に進む。一方、ステップ２において、連続駆動可能時間を超えない場合（ＮＯ）、ステップＳ４に進む。
【００３９】
ステップＳ４においては、制御装置１６が、記録指令に基づいて、搬送モータ１３ｄ及びインクジェットヘッド１４ｉを制御し、１以上の用紙を搬送しつつ用紙に画像を記録する。
【００４０】
次に、ステップＳ５においては、制御装置１６が、画像記録処理が開始されてからの経過時間ｔ１が記憶部１６ｄに記憶された連続駆動可能時間経過したか否かを判定し、連続駆動可能時間経過した場合（ＹＥＳ）、ステップＳ６に進む。ステップＳ６においては、制御装置１６が、搬送モータ１３ｄ及びインクジェットヘッド１４ｉを制御し、画像記録処理の動作を停止する。このとき、計時回路１７ｈによる経過時間ｔ１をリセットする。
【００４１】
次に、ステップＳ７において、制御装置１６は、停止してからの経過時間ｔ２が予め定められた停止時間経過したか否かを判定し、停止時間経過した場合（ＹＥＳ）、ステップＳ４に戻る。停止時間は、画像記録処理を行うことで上昇したＡＳＩＣ１７の温度を低下させるために予め定められた時間である。このとき、計時回路１７ｈによる経過時間ｔ２をリセットする。なお、ステップＳ７は停止時間経過するまで繰り返される。
【００４２】
変形例として、ステップＳ７において、ＡＳＩＣ１７の温度又はその近傍の温度を測定する温度センサを設け、制御装置１６は、当該温度センサで検出する温度が、停止した処理を実行することが可能となる再開温度まで低下したか否かを判定し、低下した場合、ステップＳ４に戻ってもよい。このときのステップＳ７においては、温度センサで検出される温度が再開温度まで低下するまで、ステップＳ７が繰り返される。
【００４３】
ステップＳ５において、経過時間ｔ１が連続駆動可能時間経過していない場合（ＮＯ）、ステップＳ８に進む。ステップＳ８において、制御装置１６は、記録指令に基づく画像記録処理が終了したか否かを判定し、終了していない場合（ＮＯ）、ステップＳ５に戻り、終了した場合（ＹＥＳ）、フローが終了する。こうして、画像記録処理が終了する。
【００４４】
また、ステップＳ２において、さらに、制御装置１６が、受信した記録指令での画像記録処理において所定期間にインクが吐出されるインク吐出回数を導出し、当該インク吐出回数が、記憶部１６ｄに記憶された合計吐出回数を超えるか否かを判定してもよい。そして、合計吐出回数を超えた場合は、ステップＳ３に進み、合計吐出回数を超えない場合は、ステップＳ４に進んでもよい。
【００４５】
ここで、複合機１におけるメンテナンス処理について、以下に説明する。
【００４６】
制御装置１６は、外部装置１８ｂなどからメンテナンス指令を受信する又は所定期間が経過する度にメンテナンス処理を実行する。このとき、制御装置１６は、所定期間内における第１吸引パージ及び第２吸引パージの実行回数が記憶部１６ｄに記憶された実行可能な回数まで実行するように、キャップユニット２１、昇降機構２２及び吸引ポンプ２３を制御する。こうして、インクジェットヘッド１４ｉの吐出口から増粘したインクや気泡が排出され、吐出性能が回復する。
【００４７】
続いて、スキャン指令、ＦＡＸ通信指令、複写指令等の処理指令を受信したときの複合機１における各処理動作について、図４を参照しつつ以下に説明する。
【００４８】
まず、ステップＦ１において、処理指令を受信したか否かを判定し、処理指令を受信した場合（Ｙｅｓ）、ステップＦ２に進み、処理指令を受信しない場合（ＮＯ）、そのままステップＦ１を繰り返す。
【００４９】
次に、ステップＦ２においては、制御装置１６が、受信した処理指令による処理動作の連続した実行を開始する。つまり、スキャン指令を受信した場合は、連続したスキャン処理を開始するように、給送装置５０及びスキャナユニット４０を制御する。また、ＦＡＸ通信指令を受信した場合は、連続したＦＡＸ通信処理を開始するように、給送装置５０、スキャナユニット４０及びＦＡＸ通信部６０を制御する。また、複写指令を受信した場合は、連続した複写処理を実行するように、給送装置５０、スキャナユニット４０、搬送モータ１３ｄ及びインクジェットヘッド１４ｉを制御する。
【００５０】
次に、ステップＦ３においては、実行される処理動作の開始からの経過時間ｔ１が記憶部１６ｄに記憶された対応する処理動作の連続駆動可能時間経過したか否かを判定する。経過時間ｔ１が連続駆動可能時間経過した場合（ＹＥＳ）、ステップＦ４に進む。ステップＦ４においては、制御装置１６が、対応する処理部（スキャン処理時は給送装置５０及びスキャナユニット４０、ＦＡＸ通信処理時は給送装置５０、スキャナユニット４０及びＦＡＸ通信部６０、複写処理時は給送装置５０、スキャナユニット４０、搬送モータ１３ｄ及びインクジェットヘッド１４ｉ）を制御し、処理動作を停止する。このとき、計時回路１７ｈによる経過時間ｔ１をリセットする。
【００５１】
次に、ステップＦ５において、制御装置１６は、停止してからの経過時間ｔ２が予め定められた停止時間に達したか否かを判定し、停止時間経過した場合（ＹＥＳ）、ステップＦ３に戻る。停止時間は、実行される処理（スキャン処理、ＦＡＸ通信処理、複写処理）によって上昇したＡＳＩＣ１７の温度を低下させるために予め定められた時間である。このとき、計時回路１７ｈによる経過時間ｔ２をリセットする。なお、ステップＦ５は経過時間ｔ２が停止時間経過するまで繰り返される。
【００５２】
変形例として、ステップＦ７においても、ＡＳＩＣ１７の温度又はその近傍の温度を測定する温度センサを設け、制御装置１６は、当該温度センサで検出する温度が、停止した処理を実行することが可能となる再開温度まで低下したか否かを判定し、低下した場合、ステップＦ４に戻ってもよい。このときのステップＦ７においては、温度センサで検出される温度が再開温度まで低下するまで、ステップＦ７が繰り返される。
【００５３】
ステップＦ３において、経過時間ｔ１が連続駆動可能時間経過していない場合（ＮＯ）、ステップＦ６に進む。ステップＦ６において、制御装置１６は、対応する処理動作が終了したか否かを判定し、終了していない場合（ＮＯ）、ステップＦ３に戻り、終了した場合（ＹＥＳ）、フローが終了する。こうして、処理動作が終了する。
【００５４】
続いて、本実施形態の複合機１の製造方法について、図５を参照しつつ以下に説明する。
【００５５】
まずは、上述の記憶部１６ｄにランクに応じた連続駆動可能な時間情報が記憶されていない状態の、複合機１を準備する（準備工程Ｇ１）。
【００５６】
次に、温度測定器を用いて、複合機１の電源を投入する前のＡＳＩＣ１７近傍の温度と、電源を投入してから所定時間（例えば、３０分）経過したときのＡＳＩＣ１７近傍の温度とを測定し、ＡＳＩＣ１７の温度変化を測定する（測定工程Ｇ２）。本実施形態において、電源を投入してから所定時間の間、電源を供給し続ける条件が所定条件に対応し、この状態で各処理部（搬送モータ１３ｄ、インクジェットヘッド１４ｉなど）が待機する処理が所定処理動作に対応する。そして、ＡＳＩＣ１７は、電源が供給されつづけ各処理部を待機させておくことでも、温度が上昇する。このような温度上昇特性は、採用されるＡＳＩＣ１７の個体差のためにＡＳＩＣ１７毎に異なることがある。
【００５７】
次に、測定工程Ｇ２で測定した温度変化に基づいて、下記の表１に示すランクＡ〜ランクＣのいずれに対応するかを判定する（ランク分け工程Ｇ３）。
【００５８】
【表１】
2018167520.tif 000003
【００５９】
本実施形態においては、測定工程Ｇ２で測定された温度変化が小さい場合（例えば、１０℃未満）は、ランクＡに該当し、当該温度変化が大きい場合（例えば、３０℃以上）は、ランクＣに該当し、温度変化がランクＣよりも小さくランクＡよりも大きい場合（例えば、１０℃以上３０℃未満）は、ランクＢに該当する。要するに、ランクＡは、温度が上昇しにくいことを表し、ランクＣは温度が上昇しやすいことを表し、ランクＢはランクＡよりも温度が上昇しやすくランクＣより温度が上昇しにくいことを表す。そして、表１に示すように、各ランクＡ〜Ｃには、画像記録処理、スキャン処理、複写処理、ＦＡＸ通信処理ごとにおける連続駆動可能な時間情報が定められている。この連続駆動可能な時間情報とは、各処理を実行したときのＡＳＩＣ１７の上限温度に到達する時間情報である。また、表１には、所定期間内において複数の吐出口から吐出可能なインクの合計吐出回数と、所定期間内において第１吸引パージ及び第２吸引パージの実行可能な回数も定められている。合計吐出回数は、インク吐出を実行可能な時間に該当するものであり、吸引パージの実行可能回数も、吸引パージを実行可能な時間に該当するものであり、これら回数は実質的に、連続駆動可能な時間情報に該当する。この連続駆動可能な時間情報も、所定期間内にインク吐出を行ったとき、及び、第１及び第２吸引パージを行ったときのＡＳＩＣ１７の上限温度に到達する時間情報である。
【００６０】
次に、ランク分け工程Ｇ３において分類されたランクに対応した、連続駆動可能な時間情報を、記憶部１６ｄに記憶させる（記憶工程Ｇ４）。こうして、複合機１の製造が終了する。
【００６１】
以上に述べたように、本実施形態による複合機１の製造方法によると、複合機１の個体差を反映したランクに応じた時間情報を記憶部１６ｄに記憶させているため、複合機１がＡＳＩＣ１７の温度上昇特性に応じて性能を発揮することが可能となる。また、複合機１が所定処理動作（例えば、画像記録処理）に関する記録指令を受信したときに、記憶する時間情報から、当該記録指令による画像記録処理が処理部（搬送モータ１３ｄ、インクジェットヘッド１４ｉ）の連続駆動可能な時間内で終了するか否かが分かる。このため、当該記録指令による画像記録処理が連続駆動可能な時間内で終了する場合は、印刷時間（すなわち、初期画像記録時間）が比較的短く、連続駆動可能な時間内で終了しない場合、つまり、一時停止などが生じる場合は、印刷時間（すなわち、補正画像記録時間）が長くなるなどの印刷時間を予測することが可能となる。この結果、受信した記録指令が終了するまでの印刷時間（すなわち、補正画像記録時間）を予測し、ユーザに報知することが可能な複合機１を製造することが可能となる。また、温度センサなしに効果的に各処理動作を行うことが可能な複合機１を製造することが可能となる。この結果、製造コストを低下させることができる。
【００６２】
測定工程Ｇ２において、複合機１の電源を投入してから所定時間経過したときのＡＳＩＣ１７近傍の温度を測定して温度変化を測定しているため、連続通電時間でのＡＳＩＣ１７の温度上昇度によって複合機１をランク分けすることが可能となる。なお、変形例として、ＡＳＩＣ１７の温度を直接的に測定してもよい。また、本実施形態においては、複合機１に温度センサが設けられていないが、ＡＳＩＣ１７の温度又はその近傍を測定する温度センサが設けられていてもよい。こうすれば、製造時に、当該温度センサを用いてＡＳＩＣ１７の温度又はその近傍の温度を測定することが可能となる。
【００６３】
続いて、第２実施形態における複合機１の製造方法について、以下に説明する。本実施形態における複合機１の製造方法は、測定工程Ｇ２が第１実施形態と異なるだけである。本実施形態における測定工程Ｇ２は、画像記録処理において所定枚数分の用紙にベタ印刷（すべての吐出口から最大量のインクを吐出させて行う印刷）を連続して行い、画像記録処理を開始する直前と画像記録処理が終了した直後のＡＳＩＣ１７近傍の温度を測定して温度差を測定する。なお、ベタ印刷以外の所定の画像を用紙に印刷してもよい。これにより、所定枚数分の用紙に連続して画像記録処理を行った場合でのＡＳＩＣ１７の温度上昇度によって複合機１をランク分けすることが可能となる。
【００６４】
続いて、第３実施形態における複合機１の製造方法について、以下に説明する。本実施形態における複合機１の製造方法も、測定工程Ｇ２が第１及び第２実施形態と異なるだけである。本実施形態における測定工程Ｇ２は、画像記録処理において、複数の吐出口からのインクの吐出回数が所定期間内に所定数となるように行い、画像記録処理を開始する直前と画像記録処理が終了した直後のＡＳＩＣ１７近傍の温度を測定して温度差を測定する。これにより、複数の吐出口からのインクの吐出回数が所定期間内に所定数となった場合でのＡＳＩＣ１７の温度上昇度によって複合機１をランク分けすることが可能となる。
【００６５】
続いて、第４実施形態における複合機１の製造方法について、以下に説明する。本実施形態における複合機１の製造方法も、測定工程Ｇ２が第１〜３実施形態と異なるだけである。本実施形態における測定工程Ｇ２は、スキャン処理において、給送装置５０が給送した所定枚数分の原稿を連続して読み取るように行い、スキャン処理を開始する直前とスキャン処理が終了した直後のＡＳＩＣ１７近傍の温度を測定して温度差を測定する。これにより、スキャナユニット４０で所定枚数分の原稿を読み取った場合でのＡＳＩＣ１７の温度上昇度によって複合機１をランク分けすることが可能となる。
【００６６】
続いて、第５実施形態における複合機１の製造方法について、以下に説明する。本実施形態における複合機１の製造方法も、測定工程Ｇ２が第１〜４実施形態と異なるだけである。本実施形態における測定工程Ｇ２は、ＦＡＸ通信処理において、給送装置５０が給送した所定枚数分の原稿を連続してＦＡＸ通信するように行い、ＦＡＸ通信処理を開始する直前とＦＡＸ通信処理が終了した直後のＡＳＩＣ１７近傍の温度を測定して温度差を測定する。これにより、所定枚数分の原稿をＦＡＸ通信した場合でのＡＳＩＣ１７の温度上昇度によって複合機１をランク分けすることが可能となる。
【００６７】
続いて、第６実施形態における複合機１の製造方法について、以下に説明する。本実施形態における複合機１の製造方法も、測定工程Ｇ２が第１〜５実施形態と異なるだけである。本実施形態における測定工程Ｇ２は、所定枚数分の原稿について連続して複写処理を行い、複写処理を開始する直前と複写処理が終了した直後のＡＳＩＣ１７近傍の温度を測定して温度差を測定する。これにより、複写処理を所定枚数分の原稿について連続して行った場合でのＡＳＩＣ１７の温度上昇度によって複合機１をランク分けすることが可能となる。
【００６８】
以上、本発明の好適な実施の形態について説明したが、本発明は上述の実施の形態に限られるものではなく、特許請求の範囲に記載した限りにおいて様々な変更が可能なものである。例えば、上述の各実施形態において、ランク毎に分けられた記憶部１６ｄに記憶させるための、画像記録処理、スキャン処理、ＦＡＸ通信処理、複写処理の連続駆動可能時間を用紙の枚数に置き換えてもよい。これにおいて、上述と同様の効果を得ることができる。また、記憶部１６ｄに記憶させる連続駆動可能な時間情報は、画像記録処理、スキャン処理、ＦＡＸ通信処理、複写処理の少なくともいずれかの時間情報だけを記憶させてもよい。
【００６９】
また、記憶部１６ｄに記憶させる画像記録処理、スキャン処理、ＦＡＸ通信処理、複写処理、合計吐出回数に関する時間情報については、第２〜第６実施形態においてそれぞれ実行されるランク分け工程で分けられたランクを個別に記憶していてもよい。つまり、例えば、第２及び第３実施形態で分類されたランクがＡである場合は、画像記録処理については、ランクＡの時間情報を記憶し、第４〜第６実施形態で分類されたランクがＢである場合は、スキャン処理、ＦＡＸ通信処理、複写処理については、ランクＢの時間情報を記憶させてもよい。こうすれば、より処理動作に対応する時間情報を記憶することが可能となり、複合機１が、ＡＳＩＣ１７の温度上昇特性に応じた性能をより一層発揮することが可能となる。
【００７０】
また、上述の各実施形態における複合機１の製造方法は、ＡＳＩＣ１７の温度上昇特性に応じたものであったが、これ以外の電子部品における温度上昇特性に応じたものであってもよい。また、本発明は、ライン式・シリアル式のいずれにも適用可能である。また、本発明は、複合機に限定されず、プリンタ、ファクシミリ、コピー機等にも適用可能である。また、画像記録部は、インクジェット式に限定されず、レーザー式、サーマル式等であってもよい。シートは、用紙に限定されず、布等であってもよい。
【符号の説明】
【００７１】
１  複合機（画像記録装置）
１３ｄ  搬送モータ（処理部の一部）
１４ｉ  インクジェットヘッド（処理部の一部）
１６ｄ  記憶部
１７  ＡＳＩＣ（電子部品）
２１  キャップユニット（処理部の一部）
２２  昇降機構（処理部の一部）
２３  吸引ポンプ（処理部の一部）
４０  スキャナユニット（スキャナ部：処理部の一部）
５０  給送装置（処理部の一部）
６０  ＦＡＸ通信部（処理部の一部）
【図１】
2018167520.tif 000004
【図２】
2018167520.tif 000005
【図３】
2018167520.tif 000006
【図４】
2018167520.tif 000007
【図５】
2018167520.tif 000008